(57)【特許請求の範囲】
【請求項１】
第１光を透過するように構成される複数の透過部と、第２光を射出するように構成される複数の発光部とを含み、利用者の第１眼と第２眼とが並ぶ方向の成分を含む所定方向に沿って前記透過部と前記発光部とが交互に並ぶように構成される発光パネルと、
前記発光パネルと重なって位置するように構成され、前記第１光及び前記第２光を減じるように動作可能である減光領域を有するシャッタパネルと、
前記第１眼に前記第１光が入射し、前記第２眼に前記第２光が入射するように、前記減光領域を制御可能であるコントローラと
を備える
情報表示装置。
【請求項２】
前記コントローラは、前記第１眼に前記第２光が入射しないように、前記減光領域を制御可能である、請求項１に記載の情報表示装置。
【請求項３】
前記コントローラは、前記第２眼に前記第１光の少なくとも一部が入射するように、前記減光領域を制御可能である、請求項１又は２に記載の情報表示装置。
【請求項４】
前記コントローラは、前記発光パネルにおいて前記第２光が射出される位置に基づいて、前記減光領域の位置を制御可能である、請求項１乃至３のいずれか一項に記載の情報表示装置。
【請求項５】
前記コントローラは、前記発光パネルにおいて前記第２光が射出される領域に基づいて、前記減光領域の領域を制御可能である、請求項１乃至４のいずれか一項に記載の情報表示装置。
【請求項６】
前記第１眼の位置に関する第１位置情報と、前記第２眼の位置に関する第２位置情報とを取得するように構成される取得部をさらに備え、
前記コントローラは、前記第１位置情報及び前記第２位置情報に基づいて、前記減光領域を制御可能である、請求項１乃至５のいずれか一項に記載の情報表示装置。
【請求項７】
第１光を透過するように構成される複数の透過部と、第２光を射出するように構成される複数の発光部とを含み、利用者の第１眼と第２眼とが並ぶ方向の成分を含む所定方向に沿って前記透過部と前記発光部とが交互に並ぶように構成される発光パネルと、
前記発光パネルと重なって位置するように構成され、前記第１光及び前記第２光を減じるように動作可能である減光領域を有するシャッタパネルと、
前記第１眼の位置に関する第１位置情報と、前記第２眼の位置に関する第２位置情報とを取得するように構成される取得部と、
前記第１位置情報及び前記第２位置情報に基づいて、前記第１眼に前記第１光が入射し、前記第２眼に前記第２光が入射するように、前記減光領域を制御可能であるコントローラと
を備える
情報表示装置と、
前記取得部に対して、前記第１位置情報及び前記第２位置情報を出力するように動作可能であるカメラと
を含む
情報表示システム。
【請求項８】
前記コントローラは、前記第１眼に前記第２光が入射しないように、前記減光領域を制御可能である、請求項７に記載の情報表示システム。
【請求項９】
前記コントローラは、前記第２眼に前記第１光の少なくとも一部が入射するように、前記減光領域を制御可能である、請求項７又は８に記載の情報表示システム。
【請求項１０】
前記コントローラは、前記発光パネルにおいて前記第２光が射出される位置に基づいて、前記減光領域の位置を制御可能である、請求項７乃至９のいずれか一項に記載の情報表示システム。
【請求項１１】
前記コントローラは、前記発光パネルにおいて前記第２光が射出される領域に基づいて、前記減光領域の領域を制御可能である、請求項７乃至１０のいずれか一項に記載の情報表示システム。
【発明の詳細な説明】
【関連出願へのクロスリファレンス】
【０００１】
本出願は、日本国特許出願２０１８−１２１２７２号（２０１８年６月２６日出願）の優先権を主張するものであり、当該出願の開示全体を、ここに参照のために取り込む。
【技術分野】
【０００２】
本開示は、情報表示装置及び情報表示システムに関する。
【背景技術】
【０００３】
従来、背景を透過させつつ、画像を表示するデバイスが知られている。この技術は、例えば、特表２０１２−５０６６０４号公報等に記載されている。
【発明の概要】
【０００４】
本開示の一実施形態に係る情報表示装置は、発光パネルと、シャッタパネルと、コントローラとを備える。前記発光パネルは、第１光を透過するように構成される複数の透過部と、第２光を射出するように構成される複数の発光部とを含む。前記発光パネルにおいて、利用者の第１眼と第２眼とが並ぶ方向の成分を含む所定方向に沿って前記透過部と前記発光部とが交互に並ぶように構成される。前記シャッタパネルは、前記発光パネルと重なって位置するように構成され、前記第１光及び前記第２光を減じるように動作可能である減光領域を有する。前記コントローラは、前記第１眼に前記第１光が入射し、前記第２眼に前記第２光が入射するように、前記減光領域を制御可能である。
【０００５】
本開示の一実施形態に係る情報表示システムは、情報表示装置と、カメラとを含む。前記情報表示装置は、発光パネルと、シャッタパネルと、取得部と、コントローラとを備える。前記発光パネルは、第１光を透過するように構成される複数の透過部と、第２光を射出するように構成される複数の発光部とを含む。前記発光パネルにおいて、利用者の第１眼と第２眼とが並ぶ方向の成分を含む所定方向に沿って前記透過部と前記発光部とが交互に並ぶように構成される。前記シャッタパネルは、前記発光パネルと重なって位置するように構成され、前記第１光及び前記第２光を減じるように動作可能である減光領域を有する。前記取得部は、前記第１眼の位置に関する第１位置情報と、前記第２眼の位置に関する第２位置情報とを取得するように構成される。前記コントローラは、前記第１眼に前記第１光が入射し、前記第２眼に前記第２光が入射するように、前記減光領域を制御可能である。前記カメラは、前記取得部に対して、前記第１位置情報及び前記第２位置情報を出力するように動作可能である。
【図面の簡単な説明】
【０００６】
【図１】一実施形態に係る情報表示システムの構成例を示すブロック図である。
【図２】一実施形態に係る情報表示装置の構成例を示す平面図である。
【図３】図２のＡ−Ａ断面図である。
【図４】発光パネル及びシャッタパネルの構成の一例を示す図である。
【図５】発光パネル及びシャッタパネルの他の構成例を示す図である。
【発明を実施するための形態】
【０００７】
図１に示されるように、一実施形態に係る情報表示システム１００は、情報表示装置１と、カメラ２とを備える。情報表示装置１は、発光パネル１０と、シャッタパネル２０と、コントローラ３０とを備える。情報表示装置１は、取得部４０をさらに備えてよい。取得部４０は、カメラ２に接続されていてよい。取得部４０は、カメラ２に接続されている場合、カメラ２から情報を取得しうる。
【０００８】
コントローラ３０は、情報表示装置１の各構成部に接続され、各構成部を制御する。コントローラ３０は、例えばプロセッサとして構成される。コントローラ３０は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（ＡＳＩＣ：Application Specific Integrated Circuit）を含んでよい。プロセッサは、プログラマブルロジックデバイス（ＰＬＤ：Programmable Logic Device）を含んでよい。ＰＬＤは、ＦＰＧＡ（Field-Programmable Gate Array）を含んでよい。コントローラ３０は、１つ又は複数のプロセッサが協働するＳｏＣ（System-on-a-Chip）、及びＳｉＰ（System In a Package）のいずれかであってよい。コントローラ３０は、記憶部を備え、記憶部に各種情報、又は情報表示装置１の各構成部を動作させるためのプログラム等を格納してよい。記憶部は、例えば半導体メモリ等で構成されてよい。記憶部は、コントローラ３０のワークメモリとして機能してよい。
【０００９】
図２及び図３に示されるように、発光パネル１０は、複数の透過部１２と、複数の発光部１４とを備える。透過部１２は、利用者から見て発光パネル１０の向こう側の背景から入射する光を透過させるように構成される。透過部１２は、Ｚ軸の負の方向の側に位置する背景から入射する光を、Ｚ軸の正の方向の側に位置する利用者の左眼５Ｌ及び右眼５Ｒに向けて透過させるように構成される。背景から入射する光は、第１光ともいう。図３において、第１光は、矢印付の一点鎖線で表されているように、発光パネル１０から利用者の左眼５Ｌ及び右眼５Ｒに向かう方向に進むとする。透過部１２を透過してきた第１光が利用者の眼に入射することによって、利用者は、発光パネル１０の向こう側の背景を視認しうる。透過部１２は、所定値以上の透過率を有してよい。透過部１２は、例えば、ガラス又は樹脂等を含んでよい。
【００１０】
発光部１４は、Ｚ軸の正の方向の側に位置する利用者の左眼５Ｌ及び右眼５Ｒに向けて、画像を形成する光を射出するように構成される。画像を形成する光は、画像光又は第２光ともいう。図３において、第２光は、矢印付の破線で表されているように、発光パネル１０から利用者の左眼５Ｌ及び右眼５Ｒに向かう方向に進むとする。発光部１４は、第２光を利用者の右眼５Ｒ及び左眼５Ｌに入射させる。利用者は、第２光が眼に入射してくることによって、画像を視認しうる。発光部１４は、ＯＬＥＤ（Organic Light Emitting Diode）であってよい。ＯＬＥＤは、有機ＥＬ（Electro-Luminescence）現象を利用して発光するデバイスであってよい。発光部１４がＯＬＥＤである場合、透過部１２を含む発光パネル１０は、透明ＯＬＥＤともいう。発光部１４は、無機ＥＬ等の自発光デバイスを含んでもよい。
【００１１】
図３に示されるように、シャッタパネル２０は、発光パネル１０に重なって、利用者の右眼５Ｒ及び左眼５Ｌと発光パネル１０との間に位置するように構成される。図２及び図３に示されるように、シャッタパネル２０は、複数の透光領域２１と、複数の減光領域２２とを備える。透光領域２１は、発光パネル１０側から入射してくる第１光及び第２光を透過するように動作可能である。第１光及び第２光は、透光領域２１を透過して利用者の右眼５Ｒ及び左眼５Ｌに到達する。減光領域２２は、発光パネル１０側から入射してくる第１光及び第２光を減じるように動作可能である。シャッタパネル２０は、透光状態と減光状態との間で遷移する複数の素子を有する。シャッタパネル２０は、液晶シャッタであってよい。液晶シャッタは、印加する電圧に応じて光の透過率を制御しうる。液晶シャッタは、複数の画素で構成され、各画素における光の透過率を制御してよい。液晶シャッタは、光の透過率が高い領域又は光の透過率が低い領域を任意の形状に形成しうる。シャッタパネル２０が液晶シャッタで構成される場合、透光領域２１は、第１所定値以上の透過率を有する領域であってよい。第１所定値は、例えば１００％であってよいし、１００％に近い値であってよい。シャッタパネル２０が液晶シャッタで構成される場合、減光領域２２は、第２所定値以下の透過率を有する領域であってよい。第２所定値は、例えば０％であってよいし、０％に近い値であってよい。第１所定値は、減光領域２２を透過した光と十分なコントラストが確保できる範囲であれば、５０％より小さい値、例えば、１０％などであってよい。第２所定値は、透光領域２１を透過した光と十分なコントラストが確保できる範囲であれば、０％近傍より大きい値、例えば、１０％などであってよい。十分なコントラストの比は、例えば１００：１であってよい。シャッタパネル２０は、ＭＥＭＳ（Micro Electro Mechanical System）シャッタを採用したＭＥＭＳパネルであってもよい。
【００１２】
利用者がシャッタパネル２０を介して発光パネル１０を見る場合、発光パネル１０は、透光領域２１を通して利用者によって視認される領域と、減光領域２２で光が減じられることによって利用者によって視認されない又は視認されにくい領域とを有する。透光領域２１を通して利用者によって視認される領域は、視認領域ともいう。減光領域２２で光が減じられることによって利用者によって視認されない又は視認されにくい領域は、非視認領域ともいう。視認領域が透過部１２を含む場合、利用者は、透過部１２のうち視認領域に含まれている部分から射出される第１光を視認しうる。視認領域が発光部１４を含む場合、利用者は、発光部１４のうち視認領域に含まれている部分から射出される第２光を視認しうる。
【００１３】
図４に例示されるように、利用者の左眼５Ｌ及び右眼５Ｒそれぞれは、発光パネル１０の一部を視認する一方で、発光パネル１０の他の一部を視認しない又は視認しにくい。利用者の左眼５Ｌによって視認される領域は、左眼視認領域１６Ｌともいう。利用者の右眼５Ｒによって視認される領域は、右眼視認領域１６Ｒともいう。左眼視認領域１６Ｌと右眼視認領域１６Ｒとは、互いに異なりうる。利用者の左眼５Ｌによって視認されない又は視認されにくい領域は、左眼非視認領域１７Ｌともいう。利用者の右眼５Ｒによって視認されない又は視認されにくい領域は、右眼非視認領域１７Ｒともいう。左眼非視認領域１７Ｌと右眼非視認領域１７Ｒとは、互いに異なりうる。
【００１４】
利用者の左眼５Ｌ及び右眼５Ｒのうち一方の眼は、第１眼ともいう。他方の眼は、第２眼ともいう。第１眼は、第２眼と異なる。第１眼及び第２眼それぞれによって視認される領域は、第１視認領域及び第２視認領域ともいう。第１眼及び第２眼それぞれによって視認されない又は視認されにくい領域は、第１非視認領域及び第２非視認領域ともいう。例えば第１眼が左眼５Ｌである場合、第１視認領域は、左眼視認領域１６Ｌに対応づけられる。
【００１５】
本実施形態において、第１眼と第２眼とは、Ｘ軸方向に沿って並んでいるとする。本実施形態において、透光領域２１及び減光領域２２はそれぞれ、Ｙ軸方向に延在する帯状の形状を有し、Ｘ軸方向に沿って交互に並んでいるとする。つまり、透光領域２１の端線は、Ｙ軸方向に沿って延びる直線又は線分であるとする。図４の例において、透光領域２１と減光領域２２とが交互に並んでいる方向は、第１眼と第２眼とが並んでいる方向に一致している。
【００１６】
透光領域２１の端線は、Ｙ軸方向に対して所定角度で傾斜する方向に延びていてもよい。所定角度は、０度より大きい角度であり、且つ、９０度より小さい角度である。この場合、透光領域２１の端線が延びる方向は、第１眼と第２眼とが並んでいる方向に交差しているといえる。言い換えれば、透光領域２１と減光領域２２とは、利用者の第１眼と第２眼とが並ぶ方向の成分を含む所定方向に沿って交互に並ぶように構成されている。
【００１７】
透光領域２１の端線が延びる方向が第１眼と第２眼とが並んでいる方向に交差している場合、第１視認領域と第２視認領域とは、少なくとも一部において互いに重複しない。本実施形態に係る情報表示装置１は、透光領域２１の端線が延びる方向を、第１眼と第２眼とが並んでいる方向に交差させることによって、第１視認領域と第２視認領域とを異ならせうる。この場合、情報表示装置１は、利用者の第１眼に透過部１２を透過してくる第１光を到達させて背景を視認させ、第２眼に発光部１４から射出される第２光を到達させて画像を視認させうる。第１眼及び第２眼それぞれに対して異なる距離から射出された光を入射させることによって、利用者は、第１眼及び第２眼それぞれにおいて入射してくる光にピントを合わせうる。その結果、利用者は、背景と画像とを両方とも視認しうる。
【００１８】
比較例として、仮に、透光領域２１の端線が延びる方向が第１眼と第２眼とが並んでいる方向に一致する場合、第１視認領域と第２視認領域とが全体又は大部分において重複する。その結果、利用者の第１眼及び第２眼それぞれに対して、透過部１２を透過してくる第１光と、発光部１４から射出される第２光とが両方とも入射する。一つの眼に第１光と第２光とが両方とも入射する場合、利用者は、それらの光の両方に同時にピントを合わせにくい。よって、一つの眼に第１光と第２光とが両方とも入射しても、一つの眼で背景と画像とを両方とも視認することは難しい。
【００１９】
透光領域２１と減光領域２２とがＸ軸方向に沿って並んでいる場合、左眼視認領域１６Ｌと左眼非視認領域１７Ｌとは、境界で区切られ、Ｘ軸方向に交互に並ぶ。右眼視認領域１６Ｒと右眼非視認領域１７Ｒとは、境界で区切られ、Ｘ軸方向に交互に並ぶ。境界の位置は、透光領域２１の端線の位置と、シャッタパネル２０と利用者の眼との間の距離と、発光パネル１０とシャッタパネル２０との間の距離とに基づいて決定される。シャッタパネル２０と利用者の眼との間の距離は、観察距離ともいい、図４においてＰとして表されている。発光パネル１０とシャッタパネル２０との間の距離は、ギャップともいい、図４においてｇとして表されている。
【００２０】
左眼視認領域１６Ｌ及び右眼視認領域１６Ｒそれぞれの位置は、観察距離（Ｐ）とギャップ（ｇ）とだけでなく、さらに利用者の左眼５Ｌ及び右眼５Ｒの位置に基づいて決定される。言い換えれば、左眼視認領域１６Ｌと右眼視認領域１６Ｒとの位置関係は、観察距離（Ｐ）とギャップ（ｇ）とだけでなく、利用者の左眼５Ｌと右眼５Ｒとの間の距離にさらに基づく。利用者の左眼５Ｌと右眼５Ｒとの間の距離は、眼間距離ともいい、図４においてＥとして表されている。
【００２１】
左眼視認領域１６Ｌが右眼非視認領域１７Ｒに含まれる場合、左眼視認領域１６Ｌは、利用者の左眼５Ｌで視認されるものの、利用者の右眼５Ｒで視認されない又は視認されにくい。右眼視認領域１６Ｒが左眼非視認領域１７Ｌに含まれる場合、右眼視認領域１６Ｒは、利用者の右眼５Ｒで視認されるものの、利用者の左眼５Ｌで視認されない又は視認されにくい。左眼視認領域１６Ｌが右眼非視認領域１７Ｒに含まれ、且つ、右眼視認領域１６Ｒが左眼非視認領域１７Ｌに含まれる場合、左眼視認領域１６Ｌと右眼視認領域１６Ｒとが互いに重複しないともいえる。図４の例において、左眼視認領域１６Ｌと右眼視認領域１６Ｒとは互いに重複していない。
【００２２】
図４の例において、左眼視認領域１６Ｌと右眼非視認領域１７Ｒとが一致しているとともに、右眼視認領域１６Ｒと左眼非視認領域１７Ｌとが一致している。言い換えれば、左眼視認領域１６Ｌと右眼視認領域１６Ｒとが隣接している。さらに、左眼視認領域１６Ｌ及び右眼視認領域１６Ｒはそれぞれ、発光部１４の領域及び透過部１２の領域と一致している。この場合、利用者は、左眼５Ｌで発光部１４だけを視認し、右眼５Ｒで透過部１２だけを視認しうる。
【００２３】
コントローラ３０は、シャッタパネル２０の透光領域２１及び減光領域２２それぞれの位置又は形状を制御可能である。つまり、コントローラ３０は、透光領域２１の端線の位置又は形状を制御可能である。コントローラ３０は、減光領域２２の位置又は形状を制御することによって、透光領域２１の位置若しくは形状、又は、透光領域２１の端線の位置若しくは形状を制御しうる。コントローラ３０は、透光領域２１及び減光領域２２それぞれの位置又は形状を制御することによって、視認領域及び非視認領域それぞれの位置又は形状を制御しうる。
【００２４】
コントローラ３０は、透光領域２１及び減光領域２２それぞれの位置又は形状を制御することによって、左眼視認領域１６Ｌと右眼非視認領域１７Ｒとを一致させつつ、右眼視認領域１６Ｒと左眼非視認領域１７Ｌとを一致させうる。発光パネル１０において透過部１２及び発光部１４それぞれの形状及び位置は固定されている。つまり、コントローラ３０は、透過部１２及び発光部１４それぞれの形状及び位置を制御できない。コントローラ３０は、透過部１２及び発光部１４それぞれの形状及び位置に基づいて、シャッタパネル２０の減光領域２２を制御してよい。
【００２５】
観察距離（Ｐ）が所定距離である場合、コントローラ３０は、左眼視認領域１６Ｌ及び右眼視認領域１６Ｒそれぞれを発光部１４の領域及び透過部１２の領域と一致させることができるとする。この場合の所定距離は、適視距離（ＯＶＤ：Optimal Viewing Distance）ともいう。観察距離（Ｐ）がＯＶＤと異なる場合、コントローラ３０は、左眼視認領域１６Ｌ及び右眼視認領域１６Ｒそれぞれを発光部１４の領域及び透過部１２の領域と一致させることができない場合がある。コントローラ３０が透光領域２１及び減光領域２２それぞれの位置又は形状をどのように制御しても、視認領域が透過部１２又は発光部１４の領域と一致しないことがある。
【００２６】
観察距離（Ｐ）がＯＶＤと異なる場合、コントローラ３０は、第１眼に第２光が入射しないように、シャッタパネル２０の減光領域２２を制御してよい。例えば図５に示されるように、コントローラ３０は、右眼５Ｒに第２光が入射しないように、右眼非視認領域１７Ｒに発光部１４を含ませてよい。このようにすることで、利用者の第１眼に、第１光と第２光とが同時に入射しなくなる。その結果、利用者は、第１眼において、第１光だけにピントを合わせればよく、背景を視認しやすくなる。
【００２７】
一つの眼に第１光及び第２光が同時に入射した場合、第２光が第１光よりも近い位置から射出されていること、及び、第２光の輝度が第１光の輝度よりも高くされうることに鑑みて、その眼は、第２光の方にピントを合わせやすいといえる。つまり、第２眼に第１光及び第２光が両方とも入射しても、利用者は、第２眼で画像を視認しうる。よって、コントローラ３０は、第２眼に第１光の少なくとも一部が入射するように、シャッタパネル２０の減光領域２２を制御してもよい。例えば図５に示されるように、コントローラ３０は、左眼５Ｌに第１光及び第２光が入射するように、左眼視認領域１６Ｌに透過部１２及び発光部１４を含ませてよい。このようにすることで、シャッタパネル２０の透光領域２１の割合が大きくされうるとともに、減光領域２２の位置又は形状に関する制約が少なくなりうる。
【００２８】
コントローラ３０は、発光パネル１０における発光部１４の形状及び位置に基づいて、シャッタパネル２０の減光領域２２を制御してよい。つまり、コントローラ３０は、第１眼に第２光が入射しないように、発光パネル１０において第２光が射出される位置に基づいて、シャッタパネル２０における減光領域２２の位置を制御してよい。コントローラ３０は、発光パネル１０において第２光が射出される領域に基づいて、シャッタパネル２０における減光領域２２が広がる領域を制御してよい。
【００２９】
発光パネル１０において、発光部１４が占める面積は、透過部１２が占める面積以下であってよい。つまり、発光パネル１０全体の面積に対して発光部１４が占める面積の割合は、５０％以下であってよい。発光部１４が占める面積の割合が５０％以下である場合、情報表示装置１は、発光部１４から射出される第２光を第２眼に入射させつつ、第１眼に入射させないように、シャッタパネル２０の減光領域２２を制御しやすい。この場合、さらに、シャッタパネル２０における透光領域２１が占める面積の割合が大きくされうる。情報表示装置１は、透光領域２１を大きくすることによって、シャッタパネル２０を透過する光量を増やしうる。その結果、情報表示装置１は、利用者に背景及び画像を視認させやすくなる。
【００３０】
仮に、発光パネル１０全体の面積に対して発光部１４が占める面積の割合が５０％を超える場合であっても、情報表示装置１は、シャッタパネル２０の減光領域２２の面積を増大させることによって、第２光を第１眼に入射しにくくしうる。
【００３１】
コントローラ３０は、利用者の左眼５Ｌ及び右眼５Ｒそれぞれの位置に関する情報に基づいて、シャッタパネル２０の減光領域２２を制御してよい。コントローラ３０は、利用者の左眼５Ｌ及び右眼５Ｒそれぞれの位置に関する情報を、取得部４０で取得してよい。利用者の第１眼の位置に関する情報は、第１位置情報ともいう。利用者の第２眼の位置に関する情報は、第２位置情報ともいう。つまり、コントローラ３０は、第１位置情報及び第２位置情報を取得部４０で取得し、第１位置情報及び第２位置情報に基づいて、シャッタパネル２０の減光領域２２を制御してよい。
【００３２】
取得部４０は、利用者の左眼５Ｌ及び右眼５Ｒの少なくとも一方の位置に関する情報を取得し、コントローラ３０に出力するように構成される。取得部４０は、利用者の左眼５Ｌ及び右眼５Ｒそれぞれの位置に関する情報を取得してよい。取得部４０は、カメラ２に接続されている場合、カメラ２から、利用者の左眼５Ｌ又は右眼５Ｒの位置に関する情報を取得してよい。
【００３３】
カメラ２は、利用者の左眼５Ｌ及び右眼５Ｒの少なくとも一方の位置を検出し、その位置に関する情報を出力してよい。カメラ２は、利用者の顔を撮影し、撮像画像に基づいて左眼５Ｌ及び右眼５Ｒの少なくとも一方の位置を検出してよい。カメラ２は、撮影画像に基づいて左眼５Ｌ及び右眼５Ｒの少なくとも一方の位置を３次元空間の座標として検出してよい。カメラ２は、複数の撮像素子を含んでよい。カメラ２は、各撮像素子の撮影画像に基づいて左眼５Ｌ及び右眼５Ｒの少なくとも一方の位置を３次元空間の座標として検出してよい。
【００３４】
取得部４０は、カメラ２を含んでもよいし、情報表示装置１とは別個の構成として設けられているカメラ２に接続されていてもよい。取得部４０は、カメラ２からの信号を入力する入力端子を備えてよい。カメラ２は、入力端子に直接的に接続されてよい。カメラ２は、共有のネットワークを介して入力端子に間接的に接続されてよい。カメラ２を備えない取得部４０は、カメラ２を含まない場合、カメラ２から映像信号が入力される入力端子を備えてよい。取得部４０は、カメラ２を含まない場合、入力端子に入力された映像信号から左眼５Ｌ及び右眼５Ｒの少なくとも一方の位置を検出してよい。
【００３５】
取得部４０は、例えば、センサを備えてよい。センサは、超音波センサ又は光センサ等であってよい。取得部４０は、センサによって利用者の頭部の位置を検出し、頭部の位置に基づいて左眼５Ｌ及び右眼５Ｒの少なくとも一方の位置を検出してよい。取得部４０は、１個又は２個以上のセンサによって、左眼５Ｌ及び右眼５Ｒの少なくとも一方の位置を３次元空間の座標として検出してよい。
【００３６】
取得部４０は、左眼５Ｌ及び右眼５Ｒの少なくとも一方の位置の検出結果に基づいて、左眼５Ｌ及び右眼５Ｒと、シャッタパネル２０との間の距離を観察距離（Ｐ）として算出する。取得部４０は、左眼５Ｌ及び右眼５ＲのＺ軸方向の座標と、シャッタパネル２０のＺ軸方向の座標との差を、観察距離（Ｐ）として算出しうる。取得部４０は、左眼５Ｌ及び右眼５Ｒそれぞれの位置の検出結果に基づいて、眼間距離（Ｅ）を算出してよい。
【００３７】
情報表示装置１は、取得部４０を備えなくてもよい。情報表示装置１が取得部４０を備えない場合、コントローラ３０は、装置外に設けられている、利用者の眼の位置の検出装置からの信号を入力する入力端子を備えてよい。装置外の検出装置は、入力端子に接続されてよい。装置外の検出装置は、入力端子に対する伝送信号として、電気信号及び光信号を用いてよい。装置外の検出装置は、共有のネットワークを介して入力端子に間接的に接続されてよい。
【００３８】
コントローラ３０が利用者の眼の位置に関する情報に基づいてシャッタパネル２０を制御することによって、より一層、利用者が背景と画像とを同時に視認しやすくなる。
【００３９】
コントローラ３０は、利用者が情報表示装置１に対して所定の位置にいることを前提として、シャッタパネル２０を制御してよい。この場合、利用者は、透過部１２の向こうに見える背景と、発光部１４から射出される光で構成される画像とを同時に視認しやすくなるように、情報表示装置１に対して相対的に移動してよい。
【００４０】
比較例に係る装置として、透過部１２と発光部１４とを有する発光パネル１０を備えるものの、シャッタパネル２０を備えない装置が仮定される。利用者が比較例に係る装置を見る場合、透過部１２を透過した第１光と、発光部１４から射出された第２光とが、両方とも、利用者の左眼５Ｌ及び右眼５Ｒそれぞれの眼に入射する。一つの眼に第１光と第２光とが両方とも入射する場合、利用者は、それらの光の両方に同時にピントを合わせにくい。例えば、発光部１４が比較的低輝度の光を射出している場合、眼は、背景にピントを合わせやすいものの、発光部１４にピントを合わせにくかったり、低輝度の画像を視認しにくかったりする。一方で、発光部１４が比較的高輝度の光を射出している場合、眼は、発光部１４にピントを合わせやすいものの、背景にピントを合わせにくい。よって、一つの眼に第１光と第２光とが両方とも入射しても、一つの眼で背景と画像とを両方とも視認することは難しい。
【００４１】
一方で、本実施形態に係る情報表示装置１は、透光領域２１と減光領域２２とを有するシャッタパネル２０を備える。シャッタパネル２０は、利用者の左眼５Ｌ及び右眼５Ｒのうちの一方の眼に透過部１２を透過する光を視認させるとともに、他方の眼に発光部１４から射出させる光を視認させるように動作可能である。このようにすることで、利用者は一方の眼で背景にピントを合わせつつ、他方の眼で発光部１４にピントを合わせうる。その結果、利用者は、透過部１２を透過して見える背景と、発光部１４から射出される光に係る画像とを同時に視認しうる。つまり、利用者にとって、画像が背景に重畳しているように見える。
【００４２】
コントローラ１５は、第２光が入射しないように制御している第１眼の第１可視領域に発光部１４が含まれる場合、当該発光部１４の発光を少なくすることができる。コントローラ１５は、第１可視領域に含まれる発光部１４による発光を少なくすることで、第１眼による発光部１４の視認を低減できる。
【００４３】
本開示に係る構成は、以上説明してきた実施形態にのみ限定されるものではなく、幾多の変形又は変更が可能である。例えば、各構成部等に含まれる機能等は論理的に矛盾しないように再配置可能であり、複数の構成部等を１つに組み合わせたり、或いは分割したりすることが可能である。
【００４４】
本開示に係る構成を説明する図は、模式的なものである。図面上の寸法比率等は、現実のものと必ずしも一致しない。
【００４５】
本開示において「第１」及び「第２」等の記載は、当該構成を区別するための識別子である。本開示における「第１」及び「第２」等の記載で区別された構成は、当該構成における番号を交換することができる。例えば、第１光は、第２光と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【００４６】
本開示において、Ｘ軸、Ｙ軸、及びＺ軸は、説明の便宜上設けられたものであり、互いに入れ替えられてよい。本開示に係る構成は、Ｘ軸、Ｙ軸、及びＺ軸によって構成される直交座標系を用いて説明されてきた。本開示に係る各構成の位置関係は、直交関係にあると限定されるものではない。
【符号の説明】
【００４７】
１  情報表示装置
２  カメラ
５Ｌ  左眼
５Ｒ  右眼
１０  発光パネル
１２  透過部
１４  発光部
１６Ｌ  左眼視認領域
１６Ｒ  右眼視認領域
１７Ｌ  左眼非視認領域
１７Ｒ  右眼非視認領域
２０  シャッタパネル
２１  透光領域
２２  減光領域
３０  コントローラ
４０  取得部
１００  情報表示システム
【図１】
0006924903.tif 000002
【図２】
0006924903.tif 000003
【図３】
0006924903.tif 000004
【図４】
0006924903.tif 000005
【図５】
0006924903.tif 000006